(57)【要約】【課題】  凝縮器、特に自動車空調設備のための冷却剤凝縮器を、製造の手間とコストおよび、特に収集器および収集器と収集管との接続のための、重量が削減されるように、改良する。【解決手段】  冷却剤凝縮器（１）が、パイプ／フィンブロック（２）と、その両側に配置されている収集管（５）と、収集管（５）に対して平行に配置されている収集器（６）からなり、前記収集器（６）がオーバーフロー開口部（８、９）を介して収集管（５）と流体に接続されている。前記収集器がモノブロックチューブの形に作られている。
2005537457.tif 000002
【特許請求の範囲】
【請求項１】
パイプ／フィンブロックと片側に配置されている少なくとも１つの収集管または両側に配置されている収集管および収集管に対して平行に配置されている収集器からなり、前記収集器がオーバーフロー開口部（８、９）を介して収集管（５）と流体接続されており、かつ一体的なパイプ（１５）として形成されている、特に自動車空調設備のための、冷却剤凝縮器。
【請求項２】
パイプ（１５）が、溶接されたパイプとして形成されていることを特徴とする請求項１に記載の凝縮器。
【請求項３】
パイプ（１５）が、押出成形で形成されていることを特徴とする請求項１に記載の凝縮器。
【請求項４】
パイプ（１５）が、折り重ね継ぎされたパイプとして形成されていることを特徴とする請求項１に記載の凝縮器。
【請求項５】
パイプ（１５）が、リバースエクストルージョンによって形成されていることを特徴とする請求項１に記載の凝縮器。
【請求項６】
オーバーフロー開口部（８、９）が、オーバーフロー通路を形成する通路部として形成されていることを特徴とする請求項１から５のいずれか１項に記載の凝縮器。
【請求項７】
通路部（１６、１７；３１、３２）が、収集器のパイプ（１５、３０）に配置されて、外側へ向けられていることを特徴とする請求項６に記載の凝縮器。
【請求項８】
通路部（１８、１９；３３、３４）が、収集管（５、２８）に配置されて、内側または外側へ向けられていることを特徴とする請求項６に記載の凝縮器。
【請求項９】
パイプ（６、１５）と収集管（５）の通路部が、大きさにおいて異なる断面を有しており、かつテレスコープ状に互いに入り組むように形成されていることを特徴とする請求項６、７および８に記載の凝縮器。
【請求項１０】
パイプ（２９）と収集管（２８）の通路部（３１、３２；３３、３４）が、互いに突き合わされて配置されており、特に等しい前断面を有していることを特徴とする請求項６、７および８に記載の凝縮器。
【請求項１１】
通路部（３１、３２；３３、３４）が、それぞれパイプジャケット（４０、４１）によって被覆されていることを特徴とする請求項１０に記載の凝縮器。
【請求項１２】
通路部が、半径方向内側にジャケットを収容していることを特徴とする請求項１０に記載の凝縮器。
【請求項１３】
オーバーフロー開口部（１０８、１０９）が、継ぎ目板（１１０、１１１）を有しており、前記継ぎ目板が収集管および／またはパイプ（１５）から突出していることを特徴とする請求項１０に記載の凝縮器。
【請求項１４】
収集管（２８）とパイプ（２９）の間に、孔（３８、３９、１０８、１０９）を備えた少なくとも１つの中間片（３７）が配置されており、前記孔が通路部（３１、３２；３３、３４）または継ぎ目板（１１０、１１１）を収容し、その場合に孔が特に突き抜けて、あるいは段付き孔として形成されていることを特徴とする請求項１０に記載の凝縮器。
【請求項１５】
オーバーフロー開口部（８、９）が、パイプ片（４２、４３）として形成されており、前記パイプ片が、パイプ（２９）と収集管（２８）に配置されている差込み開口部（４４、４５；４６、４７）内へ挿入されて、オーバーフロー通路を形成していることを特徴とする請求項１から５のいずれか１項に記載の凝縮器。
【請求項１６】
パイプ片（４２、４３）は、ほぼ中央かつ収集管（２８）とパイプ（２９）との間に配置されたビード（４２ａ、４３ａ）を有していることを特徴とする請求項１３に記載の凝縮器。
【請求項１７】
オーバーフロー開口部（８、９）が、接続片（４９）の透孔（５０、５１）によって形成されており、前記接続片がパイプ（２９）と収集管（２８）の間に配置されていることを特徴とする請求項１から５のいずれか１項に記載の凝縮器。
【請求項１８】
オーバーフロー開口部（８、９）が、パイプ（５７）と収集管（５６）に配置されて、外側へ向けられた、好ましくは環状の接触面（６２、６３）を有する成形部（５８、５９；６０、６１）によって形成されていることを特徴とする請求項１から５のいずれか１項に記載の凝縮器。
【請求項１９】
パイプ（６）と収集管（５）が、継ぎ合わせによって互いに固定されていることを特徴とする請求項６から１４のいずれか１項に記載の凝縮器。
【請求項２０】
収集管（２８）とパイプ（２９）および接続片（４９）が、固着により互いに固定されることを特徴とする請求項１５または１６に記載の凝縮器。
【請求項２１】
オーバーフロー開口部（８、９）が、平行に接続されている複数の個別開口部によって形成されることを特徴とする請求項１から２０のいずれか１項に記載の凝縮器。
【請求項２２】
収集管（５）が、２つに分けて形成されており、パイプ端部（３ａ）を収容するための底部分（５ａ）と蓋部分（５ｂ）を有しており、前記蓋部分内にオーバーフロー開口部（８、９）が配置されていることを特徴とする請求項１から１５のいずれか１項に記載の凝縮器。
【請求項２３】
収集管（５）とパイプ（６）が、付加的に少なくとも１つの共通の蓋（４８）によって互いに対して固定されていることを特徴とする請求項１から２２のいずれか１項に記載の凝縮器。
【発明の詳細な説明】
【技術分野】
【０００１】
本発明は、パイプ／フィンブロックと少なくとも一方の側、あるいはまた両側に配置されている収集管および収集管に対して平行に配置されている収集器からなり、その収集器がオーバーフロー開口部を介して収集管と冷却剤接続されている、特に本出願人の以前のドイツ特許出願ＤＥ１０１５４８９１に基づく、特に自動車空調設備のための、冷却剤凝縮器に関する。
【背景技術】
【０００２】
以前の出願（たとえば特許文献１参照）に開示されている凝縮器は、収集器を有しており、その収集器は２つの部分、すなわちパイプ片と押出成形されたパイプ状のプロフィール材とから組み立てられている。収集器を収集管と接続するオーバーフロー開口部は、プロフィール片に配置されて、孔として形成されており、その孔内へ、２つに分けられた収集管の蓋部分から成形された通路部が嵌入する。収集管と収集器は、通路部をプロフィール片の孔内へ継ぎ合わせることによって互いに対して固定される。２つの部分の付加的な固定は、共通の蓋によって行われ、その蓋が収集管と収集器の前端部を、半田付けの際に凝縮器が維持すべき位置に保持する。溶接されたパイプとプロフィール片とからなる収集器の構造は、増大された製造技術的な手間とコストを意味する。というのは、プロフィール片は材料消費、製造と切削加工から比較的高いコストをもたらすからである。
【特許文献１】ドイツ特許出願ＤＥ１０１５４８９１
【発明の開示】
【発明が解決しようとする課題】
【０００３】
本発明の課題は、冒頭で挙げた種類の凝縮器（すなわち、パイプ／フィンブロックと少なくとも一方の側、あるいはまた両側に配置されている収集管および収集管に対して平行に配置されている収集器からなり、その収集器がオーバーフロー開口部を介して収集管と冷却剤接続されている凝縮器、特に自動車空調設備のための冷却剤凝縮器）を、製造の手間とコストおよび、特に収集器および収集器と収集管との接続のための、重量が削減されるように、改良することである。
【課題を解決するための手段】
【０００４】
この課題は、請求項１の特徴（すなわち、パイプ／フィンブロックと片側に配置されている少なくとも１つの収集管または両側に配置されている収集管および収集管に対して平行に配置されている収集器からなり、前記収集器がオーバーフロー開口部を介して収集管と流体接続されており、かつ一体的なパイプとして形成されている、特に自動車空調設備のための、冷却剤凝縮器）によって解決される。すなわち解決は、収集器が一体的なパイプとして形成されていることにある。本質的な利点として、まず、製造コストが著しく低くなることが得られる。というのは、収集器全体を予め形成された部分、たとえば半製品から形成することができ、従って材料と加工のコストが削減されるからである。
【発明の実施の形態】
【０００５】
本発明の好ましい展開においては、パイプは、溶接され、押出成形され、あるいは折り重ね継ぎされたパイプとして形成し、あるいはリバースエクストルージョンによって形成することができる。
【０００６】
本発明の他の好ましい形態においては、収集管および／または収集器のパイプのオーバーフロー開口部の領域に、通路部が配置されており、その通路部はパイプ材料から成形されて、好ましくは外側へ（パイプの外側へ）向けられている。この種の通路部の形成は、比較的わずかなコストとしか結びつかない。というのは、形成は切削なしの変形によって行われるからである。通路部は、様々な直径を有することができ、かつ互いにテレスコープ状ないしは入れ子状に組み合わされ、すなわち収集管の通路部が収集器のパイプの通路部内へ嵌入し、あるいはパイプの通路部が収集管の通路部の内部に配置され−両方の場合において通路部が重なり合って共通の環状の接触面を形成し、そこで互いに半田付けされ、従って収集器と収集管の間に密なオーバーフロー通路を形成する。同時に、通路部の互いに対する差込みによって収集管および収集器のパイプの固定が行われ−２つの部分の固定は、後の半田付けプロセスのために必要である。２つの部分は、通路部の継ぎ合わせのみによって互いに対して固定されるので、固着による固定（仮付け溶接）を省くことができる。
【０００７】
本発明の好ましい形態によれば、通路部は同一または同様な断面を有することもでき、すなわち収集管側の通路部とパイプ側の通路部の端面が突合わせを形成し、すなわちそられは重なり合わない。通路部を半田付けするために欠けている接触面は、通路部の突合わせを被覆するパイプジャケットによって形成される。従って突合わせ結合の密な半田付けが保証される。
【０００８】
本発明の他の好ましい形態においては、収集管および／または収集器のパイプのオーバーフロー開口部の領域に、継ぎ目板が配置されており、その継ぎ目板はパイプ材料から成形されて、好ましくは外側へ（パイプ外側へ）向けられている。継ぎ目板は、たとえば中間片の孔内へ嵌入することができ、その中間片がまた異なる断面を有し、かつ互いに整合して、あるいは互いに対して任意の角度で配置することができる。継ぎ目板が孔内へ嵌入することによって、収集管と収集器のパイプの固定がもたらされる。２つの部分は、継ぎ目板の継ぎ合わせだけで固定されるので、ここでも同様に固着による固定（仮付け溶接）を省くことができる。
【０００９】
本発明の他の好ましい形態においては、収集管とパイプの間に、オーバーフロー開口部の領域に配置された孔を備えた中間片を配置することができ、その場合にこれらの孔は通路部を包囲し、従って同様に半田付けに必要な接触面を提供するので、それによっても収集管とパイプとの間に密なオーバーフロー通路が形成される。２つの部分の継ぎ合わせ、すなわち通路部を中間片の孔内へ挿入することですでに、収集管とパイプを固定するのに十分である。その場合に孔は、通路部ないし継ぎ目板をその中に収容するために、突き抜けて、あるいは段付き孔として形成することができる。
【００１０】
本発明の好ましい展開においては、上述した通路部は、パイプ片によって置き換えることができ、その場合にこのパイプ片がそれぞれ収集管とパイプの開口部内へ差し込まれる。パイプと収集管の開口部は、たとえば打ち抜かれ、従ってわずかなコストで形成することができる。挿入されるパイプ片は、好ましくは一周する、中央に配置されたビードを有しており、そのビードがパイプ片を収集管とパイプの差込み開口部へ差し込む際のストッパとして用いられる。同時に、このビードによって、収集管とパイプの間の間隔が形成される。さらに、収集管とパイプは、このパイプ片の継ぎ合わせによって互いに対して十分に固定されている。
【００１１】
本発明の他の好ましい形態においては、パイプと収集管の間のオーバーフロー通路は、接続片によって形成され、その接続片はオーバーフロー開口部の領域に孔を有しており、かつ収集管とパイプの外側壁に直接添接する。この場合において、パイプと収集管に開口部のみが打ち抜かれ、その開口部は接続片の孔に対して整合して配置されている。
【００１２】
本発明の他の好ましい形態によれば、パイプも収集管もオーバーフロー開口部の領域に外側へ向けられた刻印部ないし成形部を有しており、それらが端面側の、たとえば円形の接触面を形成し、その接触面を介して収集管とパイプが互いに半田づけされるので、オーバーフロー通路は、収集管とパイプの直接的な材料結合によって形成される。
【実施例】
【００１３】
本発明の実施例を図面に示し、以下で詳細に説明する。
【００１４】
図１は、凝縮器１の一部を示しており、その凝縮器は、フラットパイプ３とそれらの間に配置されている波形フィン４からなるパイプ／フィンブロック２を有している。フラットパイプ３の端部は、収集管内へ開口しており、それら収集管のうちここでは右の収集管５のみが示されており、その収集管は２つの部分で形成されており、パイプ端部を収容する底部分５ａと蓋部分５ｂからなる。収集管５に対して平行に収集器６が配置されており、その場合に収集管５と収集器６の間には間隙７が残されている。収集管５と収集器６は、それぞれその下方の領域内で切り開かれており、２つのオーバーフロー開口部８、９が見られ、そのオーバーフロー開口部を介して収集管５が収集器６と流体接続されている。収集管５内には２つのオーバーフロー開口部８、９の間に仕切壁１０が配置されている。その他においては、本出願人の以前の出願ＤＥ１０１５４８９１が参照され、その全開示内容が本出願の対象に取り入れられる。収集器６内へ乾燥部材／フィルタユニット１１が挿入されており、同ユニットは、たとえば一周する保持リブ１２のような、保持手段によって収集器６の溝１３内に固定されている。収集器６は、下方へ向かっては蓋１４によって閉鎖されている。図示されていないが、収集器６は上方へ向かっては、他の取り外し可能または取り外し不可能な蓋によって閉鎖されている。
【００１５】
収集器６は、本発明によれば、一体的なパイプとして、ここでは溶接されたパイプ１５として、形成されており、すなわち下方の蓋１４から上方の図示されていない蓋まで、溶接されている。オーバーフロー開口部８、９の領域においてパイプ１５から通路部１６、１７が外側へ張り出して成形されている。同様な方法で、オーバーフロー開口部８、９の領域において収集管５に、すなわち蓋部分５ｂに外側へ向けられた通路部１８、１９が張り出して成形されており、それらはパイプ１５の通路部１６、１７内へ嵌入し、すなわちこれらの中へテレスコープ状に挿入されているので、通路部の対１６／１８と１７／１９がそれぞれ互いに固着嵌めを形成している。収集器６と収集管５は、この固着嵌めによって互いに対して十分に固定され、かつこの位置において半田付けすることができる。オーバーフロー開口部８、９の領域における半田付けは、通路部の対１６／１８と１７／１９によって互いに形成される接触面を介して行われる。それによって流体密のオーバーフロー通路８、９が形成され、付加的な部品は必要とされない。
【００１６】
図面には図示されていないが、オーバーフロー開口部８、９を構成する変形例においては、通路部は同様に、もちろん図１とは逆の方法で、互いに入れ子に嵌入し、すなわち収集器６の通路部が収集管５の通路部内へ嵌入し、従って収集器の断面は収集管５の断面よりも小さい。
【００１７】
図２は、−図１におけるのと−同一の形成のオーバーフロー開口部８、９を有する、すなわち互いに嵌入し合う通路部を有する、変形された実施例を示している。この実施例においては、乾燥部材２０（乾燥剤細粒は示されていない）の形成が異なっており、その乾燥部材は、溶接されたパイプ２２からなる収集器２１内へ内蔵されている。この内蔵は、大体において、乾燥部材が上方のビードないしビードセグメント２３と下方の一周するビード２４との間に配置されていることによって行われる。乾燥部材２０は、下方へ向かっては、穴あき薄板２５によって境界を形成されている。２つのオーバーフロー開口部８、９の間において、環状ふるい２６が溝２７内に配置されて、固定されている。従って溶接されたパイプ２２は、一周するビード２４、ビードセグメントまたは凹部２３あるいは環状溝２７を切削なしの変形によって、特に特別な製造技術的な手間なしで、パイプ２２内へ挿入することができる、可能性を提供する。
【００１８】
図３は、収集管２８と収集器２９の間のオーバーフロー開口部８、９を形成するための第２の実施例を示しており、その収集器はここでも一体的な、溶接され、または折り重ね継ぎされたパイプ３０として形成されている。パイプ３０からは、オーバーフロー開口部８、９の領域内に通路部３１、３２が外側へ張り出して成形されている。同様にして、すなわち同一の断面をもって、収集管２８から（その蓋部分から）も、同様に通路部３３、３４が外側へ張り出して成形されているので、パイプ３０の通路部３１、３２は収集管２８の通路部３３、３４とそれぞれ突合わせ３５、３６を形成する。収集管２８と収集器２９の間において、オーバーフロー開口部８、９の領域に中間片３７が配置されており、その中間片はオーバーフロー開口部８、９の領域に孔３８、３９を有しており、その中へ両側から通路部３１、３２および３３、３４が嵌入する。従って孔３８、３９と通路部３１、３２；３３、３４の外周との間に、それぞれ接触面が形成され、その接触面を介して半田付けが行われるので、ここでも収集管２８と収集器２９の間には密なオーバーフロー通路８、９が形成される。
【００１９】
図４は、図３に示すのと同様な、すなわちそれぞれ突合わせ３５、３６を形成する通路部３１、３２、３３、３４を有する、第３の実施例を示している。互いに突き合わされる通路部３１／３３と３２／３４は、その外側面をパイプジャケット４０、４１によって被覆されているので、突合わせ３５、３６はパイプジャケット４０、４１によって覆われている。従って通路部の外側とパイプジャケットの内側との間に接触面が形成され、その接触面を介して半田付けを行うことができ、従って収集管２８と収集器２９の間に密なオーバーフロー通路が形成される。
【００２０】
他の実施例においては、収集器と収集管の通路部は、互いに突き合わされ、その場合に通路部の内部にパイプジャケットが挿入されており、そのパイプジャケットが通路部の内側面と結合されており、たとえば半田付けされている。
【００２１】
図５は、収集管２８と収集器２９との間にオーバーフロー通路を形成する、挿入されたパイプ片４２、４３を用いてオーバーフロー開口部８、９を形成するための第４の実施例を示している。収集管と収集器は、差込み開口部４４、４５と４６、４７を有しており、それら差込み開口部はたとえば穴を打ち抜くことによって形成される。パイプ片４２、４３は、それぞれその中央に配置された一周する、外側へ向けられたビード４２ａ、４３ａを有しており、それらビードがパイプ片４２、４３を差込み開口部４４から４７へ差し込む場合のストッパとして、かつスペースホルダとして用いられる。パイプ片４２、４３と差込み開口部４４から４７の間の環状間隙は、凝縮器全体を半田付けする際に、密に半田付けされる。
【００２２】
図６は、収集管５と収集器６を有する凝縮器１の上方の部分を示しており、その収集器は−すでに説明したように−一体的なパイプ１５として形成されている。収集管５と収集器６は、その上方の端面において共通の蓋４８によって閉鎖されている。この種の蓋４８の詳細な説明は、書類記号１０１５４８９１．５を有する、上述した以前の特許出願に詳細に記載されている。この共通の蓋４８は、収集管５と収集器６を上述した固定手段に加えてさらに互いに対して位置決めするために、固定補助として用いられる。この課題を満たすために、蓋４８は、収集管５の端面を覆うキャップ形状の部分４８ａと蓋挿入片４８ｂを有しており、その蓋挿入片は収集器６の前側内へ相補形状で挿入されている。２つの部分４８ａ、４８ｂは、ウェブ４８ｃによって互いに結合されている。従って収集管５と収集器６を固定するために、オーバーフロー開口部８、９の領域内と共通の蓋４８による収集器６の上方の部分内に、２つの固定手段が得られる。
【００２３】
図７は、結合片４９を用いてオーバーフロー開口部８、９を形成するための第５の実施例を示しており、その結合片は収集管２８と収集器２９の間に配置されて、オーバーフロー開口部８、９の領域に透孔５０、５１を有している。結合片４９は、収集管２８と収集器２９の外側輪郭に適合した断面を有する、押出成形されたプロフィール材として形成することができ、従って半田付けのための十分な接触面が得られる。収集器２９と収集管２８は、オーバーフロー開口部８、９の領域に打ち抜かれた開口部５２、５３を有しており、それら開口部は透孔５０、５１と整合している。
【００２４】
図８は、収集管５６と収集器５７の間にオーバーフロー開口部８、９を形成するための第６の実施例を示している。オーバーフロー開口部８、９は、外側へ向けられた刻印部ないし成形部５８、５９および６０、６１によって形成されており、それらはほぼ円錐台形状に形成されて、その外側の端面において環状面６２、６３として偏平にされており、それら環状面が半田付けのための接触面として用いられる。成形部５８から６１は、製造の手間なしで切削なしで、すなわち穴の打抜きと圧印加工によって形成することができる。
【００２５】
上述したすべての実施例は、まず収集管と収集器が継ぎ合わされて、それによって互いに結合され、−次に凝縮器全体が半田炉へ装入されて、「一発で」半田付けされるようにして形成される。この半田付けプロセスによって、オーバーフロー開口部の領域において、収集管と収集器の間に密なオーバーフロー通路が形成される。
【００２６】
図９は、収集管１２８と収集器１２９の間にオーバーフロー開口部１０８、１０９を形成するための第２の実施例を示しており、収集器はここでも一体的な溶接された、あるいは折り重ね継ぎされたパイプ１１５として形成されている。オーバーフロー開口部１０８、１０９の領域において、パイプ１１５から継ぎ目板１１０、１１が外側へ向かって成形されている。通路部１３３、１３４が、収集管１２８から同様に外側へ張り出して成形されているので、パイプ１１５の継ぎ目板１１０、１１１と収集管１２８の通路部１３３、１３４がそれぞれ突合わせ１３５、１３６を形成する。収集管１２８と収集器１２９の間において、オーバーフロー開口部１０８、１０９の領域に、孔を有する中間片１３７が配置されており、その孔内へ両側から通路部１３３、１３４ないし継ぎ目板１１０、１１１が嵌入する。従って中間片１３７の孔と通路部１３３、１３４ないし継ぎ目板１１０、１１１の外周面との間にそれぞれ接触面が形成され、その接触面を介して半田付けが行われるので、ここでも収集管１２８と収集器１２９の間には流体密のオーバーフロー通路１０８、１０９が形成される。
【図面の簡単な説明】
【００２７】
【図１】収集管と通路部を備えた収集器とを有する凝縮器の一部を示している。
【図２】収集管と、内蔵された乾燥部材／フィルタを備えた収集器とを有する凝縮器を示している。
【図３】通路部と中間片とを有する第２の実施例を示している。
【図４】通路部とパイプジャケットとを有する第３の実施例を示している。
【図５】挿入されたパイプ片を有する第４の実施例を示している。
【図６】収集管と収集器のための共通の蓋を示している。
【図７】接続片を有する第５の実施例を示している。
【図８】収集管と収集器に成形部を有する第６の実施例を示している。
【図９】収集管と収集器の間にオーバーフロー開口部を形成するための第２の実施例を示している。
【符号の説明】
【００２８】
１  凝縮器
２  パイプフィンブロック
３  フラットパイプ
４  波形フィン
５  収集管
５ａ  底部分
５ｂ  蓋部分
６  収集器
７  間隙
８  オーバーフロー開口部
９  オーバーフロー開口部
１０  仕切壁
１１  乾燥部材／フィルタユニット
１２  保持リブ
１４  蓋
１５  パイプ
１６  通路部（パイプ）
１７  通路部（パイプ）
１８  通路部（収集管）
１９  通路部（収集管）
２０  乾燥部材
２１  収集器
２２  パイプ
２３  ビード
２４  ビード
２５  穴あき薄板
２６  環状ふるい
２７  溝
２８  収集管
２９  収集器
３０  パイプ
３１  通路部（パイプ）
３２  通路部（パイプ）
３３  通路部（収集管）
３４  通路部（収集管）
３５  突き合せ
３６  突き合せ
３７  中間片
３８  孔
３９  孔
４０  パイプジャケット
４１  パイプジャケット
４２  パイプジャケット
４２ａ  ビード
４３  パイプ片
４３ａ  ビード
４４  差込み開口部
４５  差込み開口部
４６  差込み開口部
４７  差込み開口部
４８  蓋
４８ａ  キャップ形状の蓋
４８ｂ  蓋挿入片
４８ｃ  ウェブ
４９  接続片
５０  透孔
５１  透孔
５２  開口部（パイプ）
５３  開口部（パイプ）
５４  開口部（収集管）
５５  開口部（収集管）
５６  収集管
５７  収集器
５８  成形部（パイプ）
５９  成形部（パイプ）
６０  成形部（収集管）
６１  成形部（収集管）
６２  環状面
６３  環状面
【図１】
2005537457.tif 000003
【図２】
2005537457.tif 000004
【図３】
2005537457.tif 000005
【図４】
2005537457.tif 000006
【図５】
2005537457.tif 000007
【図６】
2005537457.tif 000008
【図７】
2005537457.tif 000009
【図８】
2005537457.tif 000010
【図９】
2005537457.tif 000011
【国際調査報告】
2005537457.tif 000012
2005537457.tif 000013
2005537457.tif 000014
2005537457.tif 000015
2005537457.tif 000016
2005537457.tif 000017
2005537457.tif 000018
2005537457.tif 000019
2005537457.tif 000020